(57)【特許請求の範囲】
【請求項１】
測定用流体袋と、
前記測定用流体袋の内圧変化を測定するセンサと、
前記センサで得られる前記測定用流体袋の内圧変化に基づいて、血圧値を算出する血圧測定手段と、
測定結果を格納するための記憶手段と、
算出された前記血圧値を測定日時と関連付けて、前記記憶手段に格納するための記録処理手段と、
使用者が前記測定結果を所定の記録媒体に転記するときに、前記記憶手段から読出した前記測定結果を、装置外部の表示装置に表示させるための表示制御手段とを備え、
前記表示制御手段は、前記測定結果を、前記所定の記録媒体で指定される表示形式に変換して前記表示装置に表示させる、血圧測定装置。
【請求項２】
前記血圧測定手段により血圧を測定した時点での前記測定結果を表示する通常表示モードにおいて、前記測定結果を表示する表示手段と、
前記使用者が、前記通常表示モードから前記測定結果を前記所定の記録媒体に転記する転記モードへの移行を指示するために操作される第１の操作手段とをさらに備え、
前記表示制御手段は、前記第１の操作手段からの指示に従って、前記転記モードを選択する表示モード設定手段を含む、請求項１に記載の血圧測定装置。
【請求項３】
前記表示制御手段は、次回に転記の対象となる前記測定結果を、転記対象外の前記測定結果と区別して表示するための測定結果明示手段をさらに含む、請求項２に記載の血圧測定装置。
【請求項４】
前記測定結果明示手段は、前記次回に転記の対象となる測定結果を音声に変換して前記使用者に提供する、請求項３に記載の血圧測定装置。
【請求項５】
前記表示制御手段は、前記使用者によって転記されたことが確認された前記測定結果を格納するための記憶部をさらに含み、
前記測定結果明示手段は、前記記憶部に格納された前記測定結果に基づいて、前記次回に転記の対象となる測定結果を、転記対象外の前記測定結果と区別して表示する、請求項３に記載の血圧測定装置。
【請求項６】
前記測定結果明示手段は、前記使用者によって転記されたことが確認された測定結果を、次回以降に転記の対象となる前記測定結果と区別して表示する、請求項５に記載の血圧測定装置。
【請求項７】
前記転記モードにおいて、前記使用者が、転記の対象となる前記測定結果が転記されたことを指示するために操作される第２の操作手段をさらに備え、
前記表示制御手段は、前記第２の操作手段が操作される毎に、前記記憶部に格納される前記測定結果を更新する、請求項５に記載の血圧測定装置。
【請求項８】
前記測定結果明示手段は、前記次回に転記の対象となる測定結果として、前記血圧値と該血圧値に関連付けられた測定日時とを該測定時刻単位で一体的に表示する第１の明示モードと、前記次回に転記の対象となる測定結果として、前記血圧値と該血圧値に関連付けられた測定日時とを該測定日単位で一体的に表示する第２の明示モードと、前記次回に転記の対象となる測定結果として、前記血圧値と該血圧値に関連付けられた測定日時とを測定値単位で個別に表示する第３の明示モードと有し、前記第１〜第３の明示モードを択一的に選択する、請求項３〜７のいずれか１項に記載の血圧測定装置。
【請求項９】
前記表示装置は、ＡＶデータ表示装置である、請求項１〜８のいずれか１項に記載の血圧測定装置。
【請求項１０】
測定用流体袋と、前記測定用流体袋の内圧変化を測定するセンサと、前記センサで得られる前記測定用流体袋の内圧変化に基づいて、血圧値を算出する血圧測定手段と、測定結果を格納するための記憶手段と、算出された前記血圧値を測定日時と関連付けて、前記記憶手段に格納するための記録処理手段とを備えた血圧測定装置と、
使用者が前記測定結果を所定の記録媒体に転記するときに、前記記憶手段から読出した前記測定結果を、表示装置に表示させるための表示制御装置とを備え、
前記表示制御装置は、前記測定結果を、前記所定の記録媒体で指定される表示形式に変換して前記表示装置に表示させる、血圧測定システム。
【発明の詳細な説明】
【技術分野】
【０００１】
この発明は、血圧測定装置および血圧測定システムに関し、特に、医師と該血圧測定装置で測定された測定データのやり取りを行なうための血圧測定装置および血圧測定システムに関する。
【背景技術】
【０００２】
近年、高血圧を要因とする生活習慣病が一般的となってきており、日常の健康管理の指標としては、血圧値を日々測定、管理を行なうことが重要である。しかし、血圧は生活環境やストレスによって容易に変動する。よって、血圧測定の際、測定ごとの血圧値に一喜一憂するのではなく、トレンドによる管理や平均値を用いた管理方法が有用である。
【０００３】
このことから、従来より、血圧管理としては、家庭向けの血圧計で使用者が日々血圧値を測定し、その測定した血圧値を該血圧計に付属されている所定の記録紙（例えば血圧手帳など）に記録しておき、該記録紙を医療機関に持参して医師による診断を仰ぐのが一般的である。
【０００４】
そのため、家庭向けの血圧計には、測定した血圧値を測定日時等と関連付けて格納するためのメモリ機能を有し、使用者が該メモリから読み出すことによって、複数日時の測定データをまとめて記録紙に転記することを可能としたものが普及している。これによれば、使用者が、測定するたびに測定した血圧値を記録紙に記録しなければならないという手間が省略される。
【０００５】
この種の生体情報の記憶手段を備えた生体情報記憶装置としては、例えば特開平１０−１２７５８７号公報（特許文献１）には、生体情報検出装置により検出された生体情報を書き込むことのできるメモリカードが着脱可能に装着された生体情報記憶装置が開示される。これによれば、メモリカードが装着されていることを条件として、監視中の生体情報がメモリカード内の生体情報記憶場所に記憶させることから、確実に生体情報が記録される。また、監視後においてメモリカードを生体情報記憶装置から取外すことで、必要とする生体情報を得ることができる。
【０００６】
また、特開２００４−２６７５１０号公報（特許文献２）には、使用者の血圧や体温などの健康データを収集し、通信回線を介して医療機関に設置されたサーバに送信するという基本機能に加えて、パソコン接続端子を介してパソコンと接続可能とすることにより、パソコンの持っている機能（グラフィカル表示能力など）を活かした多機能および高機能なサービスを使用者に提供可能とする健康データ収集装置が開示されている。
【０００７】
さらに、特開２００３−２３５８３４号公報（特許文献３）には、体重、体脂肪率等の生体情報を入力する入力手段と、この入力手段からの生体情報をビデオ信号に変換する変換手段と、このビデオ信号を表示する表示手段とから構成された健康管理装置が開示されている。
【特許文献１】特開平１０−１２７５８７号公報
【特許文献２】特開２００４−２６７５１０号公報
【特許文献３】特開２００３−２３５８３４号公報
【発明の開示】
【発明が解決しようとする課題】
【０００８】
しかしながら、上記のようなメモリ機能を具備した血圧計においては、測定データを所定の記録紙に転記するという作業は、血圧計本体に設置された記録呼出スイッチ等を使用者が操作することによって、所望の測定日時の測定データをメモリから読出して血圧計の表示部に表示させ、かつ、その表示させた測定データを記録紙の指定された箇所に転記するといった一連の動作を逐次繰返すことによって実行されるのが一般的である。そのため、血圧計の表示部が小さいこと、あるいは、測定データを読出すためのスイッチ操作の煩雑さなどに起因して、使用者が測定データを記録紙の指定された箇所とは誤った箇所に転記してしまう、いわゆる転記ミスが少なからず生じていた。この結果、血圧管理について、使用者が医師から的確な診断を受けることが出来ないという問題があった。
【０００９】
その一方で、特開平１０−１２７５８７号公報（特許文献１）によれば、着脱可能なメモリカードに測定データを記憶させておくことで、該メモリカードそのものを生体情報記憶装置から取外して医療機関に持参することによって、上述の測定データを転記する作業を不要とすることができるものの、メモリカードから測定データを読み出すための装置を医療機関側に設置する必要が新たに発生するため、コストが嵩むという不具合が生じてしまう。
【００１０】
また、特開２００４−２６７５１０号公報（特許文献２）では、パソコン特有のグラフィカル表示を用いたガイダンスや、テレビ電話、画像処理およびグラフ機能を使用したサービスを開示するに留まり、使用者が測定データを記録紙に転記する作業については全く言及していない。その結果、上述したような転記ミスに対する解決手段については何ら開示されていない。
【００１１】
さらに、特開２００３−２３５８３４号公報（特許文献３）においても同様に、測定結果をビデオ信号として表示手段としての汎用ディスプレイであるテレビに送信する構成を開示するものの、使用者が測定データを記録紙に転記する作業については全く言及しておらず、その結果、上述したような転記ミスに対する解決手段については何ら開示されていない。
【００１２】
それゆえ、この発明は、かかる課題を解決するためになされたものであり、その目的は、簡易かつ低廉な装置構成で、測定データの転記ミスを防止可能な血圧測定装置および血圧測定システムを提供することである。
【課題を解決するための手段】
【００１３】
上記目的を達成するために、本発明のある局面に従うと、血圧測定装置であって、測定用流体袋と、測定用流体袋の内圧変化を測定するセンサと、センサで得られる測定用流体袋の内圧変化に基づいて、血圧値を算出する血圧測定手段と、測定結果を格納するための記憶手段と、算出された血圧値を測定日時と関連付けて、記憶手段に格納するための記録処理手段と、使用者が測定結果を所定の記録媒体に転記するときに、記憶手段から読出した測定結果を、装置外部の表示装置に表示させるための表示制御手段とを備える。表示制御手段は、測定結果を、所定の記録媒体で指定される表示形式に変換して表示装置に表示させる。
【００１４】
好ましくは、血圧測定装置は、血圧測定手段により血圧を測定した時点での測定結果を表示する通常表示モードにおいて、測定結果を表示する表示手段と、使用者が、通常表示モードから測定結果を所定の記録媒体に転記する転記モードへの移行を指示するために操作される第１の操作手段とをさらに備える。表示制御手段は、第１の操作手段からの指示に従って、転記モードを選択する表示モード設定手段を含む。
【００１５】
好ましくは、表示制御手段は、次回に転記の対象となる測定結果を、転記対象外の測定結果と区別して表示するための測定結果明示手段をさらに含む。
【００１６】
より好ましくは、測定結果明示手段は、次回に転記の対象となる測定結果を音声に変換して使用者に提供する。
【００１７】
好ましくは、表示制御手段は、使用者によって転記されたことが確認された測定結果を格納するための記憶部をさらに含む。測定結果明示手段は、記憶部に格納された測定結果に基づいて、次回に転記の対象となる測定結果を、転記対象外の測定結果と区別して表示する。
【００１８】
好ましくは、測定結果明示手段は、使用者によって転記されたことが確認された測定結果を、次回以降に転記の対象となる測定結果と区別して表示する。
【００１９】
好ましくは、血圧測定装置は、転記モードにおいて、使用者が、転記の対象となる測定結果が転記されたことを指示するために操作される第２の操作手段をさらに備える。表示制御手段は、第２の操作手段が操作される毎に、記憶部に格納される測定結果を更新する。
【００２０】
好ましくは、測定結果明示手段は、次回に転記の対象となる測定結果として、血圧値と該血圧値に関連付けられた測定日時とを該測定時刻単位で一体的に表示する第１の明示モードと、次回に転記の対象となる測定結果として、血圧値と該血圧値に関連付けられた測定日時とを該測定日単位で一体的に表示する第２の明示モードと、次回に転記の対象となる測定結果として、血圧値と該血圧値に関連付けられた測定日時とを測定値単位で個別に表示する第３の明示モードと有し、第１〜第３の明示モードを択一的に選択する。
【００２１】
好ましくは、表示装置は、ＡＶデータ表示装置である。
本発明の他の局面に従うと、血圧測定システムであって、測定用流体袋と、測定用流体袋の内圧変化を測定するセンサと、センサで得られる測定用流体袋の内圧変化に基づいて、血圧値を算出する血圧測定手段と、測定結果を格納するための記憶手段と、算出された血圧値を測定日時と関連付けて、記憶手段に格納するための記録処理手段とを備えた血圧測定装置と、使用者が測定結果を所定の記録媒体に転記するときに、記憶手段から読出した測定結果を、表示装置に表示させるための表示制御装置とを備える。表示制御装置は、測定結果を、所定の記録媒体で指定される表示形式に変換して表示装置に表示させる。
【発明の効果】
【００２２】
この発明によれば、簡易かつ低廉な装置構成で、血圧測定装置で測定された測定データの転記ミスを防止することができる。
【発明を実施するための最良の形態】
【００２３】
以下、この発明の実施の形態について図面を参照して詳しく説明する。なお、図中同一符号は同一または相当部分を示す。
【００２４】
［第１の実施の形態］
図１は、この発明の実施の形態１に係る血圧測定装置（以下、血圧計）１の外観の概略図である。
【００２５】
図１を参照して、血圧計１は、本体２と、測定部位である上腕に巻付ける腕帯５とを備え、それらがエア管１０で接続される。本体２の正面には、ボタン等の操作部３と、測定結果を表示する表示部４とが配備される。
【００２６】
操作部３は、電源のオン／オフを指示するためのボタン３０２と、測定の開始／停止を指示するためのボタン３０４と、後述する「転記モード」の選択を指示するためのボタン（以下、転記モードボタン）３０６と、該転記モードにおいて転記対象となる測定結果が転記されたことを指示するためのボタン（以下、転記確認ボタン）３０８とを含む。
【００２７】
腕帯５には、測定用空気袋１３（図２参照）が配置され、腕帯５を測定部位である上腕に巻付けることで測定用空気袋１３が測定部位に押付けられる。
【００２８】
本体２は、コネクタ６およびケーブル６２を介して、ＡＶデータ表示装置（たとえばテレビとする）６０と接続可能に構成される。本体２にＡＶデータ表示装置６０が接続された状態において、測定結果は、後述する方法によって映像データに変換されてＡＶデータ表示装置６０に転送される。ＡＶデータ表示装置６０では、映像信号に基づいて測定結果が表示される。
【００２９】
図２は、血圧計１のハードウェア構成の具体例を示すブロック図である。
図２を参照して、血圧計１は、本体２と、測定部位である上腕に巻付ける腕帯５とを備え、それらがエア管１０で接続される。本体２の正面には、ボタン等の操作部３と、測定結果等を表示する表示部４とが配備される。腕帯５には測定用空気袋１３が配置され、腕帯５を測定部位である上腕に巻付けることで測定用空気袋１３が測定部位に押付けられる。
【００３０】
測定用空気袋１３は、測定用エア系２０に接続されている。測定用エア系２０は、測定用空気袋１３の内圧変化を測定する圧力センサ２３と、測定用空気袋１３に対する給気／排気を行なうポンプ２１と、弁２２とを含む。
【００３１】
また、血圧計１の本体２内には、血圧計１全体を制御するＣＰＵ（Central Processing Unit）４０と、測定用エア系２０に接続される増幅器２８、ポンプ駆動回路２６および弁駆動回路２７と、増幅器２８に接続されるＡ／Ｄ（Analog to Digital）変換器２９と、測定日時を得るためのタイマ部４４と、ＣＰＵ４０で実行されるプログラムや測定結果を記憶するメモリ部４２とが含まれる。
【００３２】
ＣＰＵ４０は、操作部３から入力される操作信号に基づいてメモリ部４２に記憶されている所定のプログラムを実行し、ポンプ駆動回路２６および弁駆動回路２７に制御信号を出力する。ポンプ駆動回路２６および弁駆動回路２７は、制御信号に従ってポンプ２１および弁２２を駆動させ、血圧測定動作を実行させる。
【００３３】
圧力センサ２３は、測定用空気袋１３の内圧変化を検出し、検出信号を増幅器２８に入力する。入力された圧力信号は、増幅器２８において所定振幅まで増幅され、Ａ／Ｄ変換器２９においてデジタル信号に変換された後にＣＰＵ４０に入力される。ＣＰＵ４０は、圧力センサ２３から得られた測定用空気袋１３の内圧変化に基づいて所定の処理を実行し、その結果に応じてポンプ駆動回路２６および弁駆動回路２７に上記制御信号を出力する。また、ＣＰＵ４０は、圧力センサ２３から得られた測定用空気袋１３の内圧変化に基づいて血圧値を算出し、測定結果を表示部４に表示させるために出力する。
【００３４】
弁２２は、ＣＰＵ４０からの制御信号に従った弁駆動回路２７によってその開閉が制御されて、測定用空気袋１３内の空気を排出する。
【００３５】
さらに、血圧計１は、本体２外部に配されたＡＶデータ表示装置６０の表示を制御する表示制御部５０を備える。
【００３６】
表示制御部５０は、コネクタ６（図１）およびケーブル６２を介してＡＶデータ表示装置６０に接続可能に構成される。表示制御部５０は、使用者が「転記モード」を血圧計１の表示モードとして選択する場合に、使用者によってコネクタ６が閉成されることによりＡＶデータ表示装置６０に接続される。
【００３７】
ここで、「転記モード」とは、後述する転記を行なうための処理（以下、「転記処理」）において、メモリ部４２に格納されている測定結果を、所定の記録紙に転記するためにＡＶデータ表示装置６０に表示させる表示モードをいう。なお、この転記モードに対して、通常の血圧測定処理において測定結果を表示部４に表示させる表示モードを「通常表示モード」という。転記モードにおける「所定の記録紙」には、例えば血圧計１に付属されている血圧手帳、あるいは医療機関から配布される血圧記録紙などが含まれる。
【００３８】
ＣＰＵ４０は、ボタン３０２（図１）の操作による操作信号の入力を受けると、各部への電源供給を開始し、その後さらなる操作信号の入力の待ち受け状態となる。この状態においてボタン３０４の操作による操作信号の入力を受けた場合には、ＣＰＵ４０は、通常の血圧測定処理を実行する。
【００３９】
その一方で、転記モードボタン３０６（図１）の操作による操作信号の入力を受けた場合には、転記処理を実行する。具体的には、ＣＰＵ４０は、表示モードを、通常表示モードから転記モードに移行する。そして、メモリ部４２に記憶されている測定結果を読出し、その読出した測定結果を表示制御部５０へ出力する。
【００４０】
なお、本実施の形態では、転記モードへの移行を指示するための操作手段として、転記モードボタン３０６を用いた構成例について説明するが、他の例として、コネクタ６（図１）が閉成されたことに応答して転記モードに移行する構成としてもよい。
【００４１】
表示制御部５０は、ＣＰＵ４０から与えられた測定結果を、後述する方法によって映像信号に変換してＡＶデータ表示装置６０へ転送する。ＡＶデータ表示装置６０は、転送された測定結果を表示する。
【００４２】
図３は、血圧計１が転記モードにおいて、測定結果をＡＶデータ表示装置６０に表示する処理（以下、「表示処理」）を行なうための機能構成の具体例を示すブロック図である。図３に示される機能は、ＣＰＵ４０および表示制御部５０がメモリ部４２に記憶されている所定のプログラムを実行することで、ＣＰＵ４０および表示制御部５０により実行される機能である。また、図３に示される機能のうちの一部または全部が、ハードウェアによって実現されてもよい。
【００４３】
図３を参照して、血圧計１で表示処理を行なうための機能は、ＣＰＵ４０により実現される血圧測定部４０２、血圧記録処理部４０４および表示モード設定部４０６と、表示制御部５０により実現される表示処理部５０４とを含む。
【００４４】
血圧測定部４０２は、ボタン３０４の操作による操作信号の入力を受けて、血圧測定処理を実行する。
【００４５】
血圧記録処理部４０４は、増幅器２８およびＡ／Ｄ変換器２９を介して圧力センサ２３からの測定結果の入力を受付けて、タイマ部４４より得られる測定日時を関連付けてメモリ部４２へデータの格納処理を行なう。また、血圧記録処理部４０４は、圧力センサ２３からの測定結果を表示部４に表示する。
【００４６】
表示モード設定部４０６は、転記モードボタン３０６の操作による操作信号の入力に応答して、測定結果の表示モードを通常表示モードから転記モードに切替えて設定する。さらに、表示モード設定部４０６は、メモリ部４２に格納された測定結果を読出し、その読出した測定結果を表示処理部５０４へ送信する。
【００４７】
表示処理部５０４は、表示モード設定部４０６から測定結果を受けると、該測定結果を、予め設定された所定の表示形式に変換する。このときの所定の表示形式は、上述した所定の記録紙（例えば血圧手帳とする）に指定された表示形式と一致するように予め設定されている。
【００４８】
なお、所定の表示形式としては、一種類に限定されるものではなく、複数種類の記録紙に対応させた複数の表示形式を予め設定しておき、使用者が所望の表示形式を適宜選択可能とする構成とすることができる。この場合の使用者による表示形式の選択は、一例として、操作部３の操作内容に基づいて行なわれる。あるいは、記録紙毎に付された管理番号やバーコード等の入力情報に基づいて行なわれる。
【００４９】
そして、表示処理部５０４は、所定の表示形式に変換された測定結果を映像信号に変換してＡＶデータ表示装置６０へ転送する。
【００５０】
なお、表示処理部５０４は、その内部に、転記された測定結果を記録するためのメモリ５０６を有する。メモリ５０６は、転記確認ボタン３０８の操作による操作信号を入力可能に構成されており、転記対象となる測定結果が転記されて転記確認ボタン３０８がオン操作されたことに応答して、該測定結果を転記済みの測定結果として格納する。これにより、メモリ５０６に格納される測定結果は、転記確認ボタン３０６がオン操作されるごとに、直前の転記対象となる測定結果を含んだ内容に更新されることになる。
【００５１】
そして、表示処理部５０４は、メモリ５０６に格納される測定結果に基づいて、後述する方法によって次回に転記対象となる測定結果を、転記対象外の測定結果と区別して表示する。
【００５２】
図４は、このようにしてＡＶデータ表示装置６０に表示された測定結果の表示例を示す図である。
【００５３】
図４を参照して、測定結果は、所定の記録紙と同一の表示形式に従って表示される。すなわち、所定の記録紙と同じ形式で、測定日時および測定結果（最高血圧値、最低血圧値および脈拍数）が配列されて表示される。
【００５４】
このように転記モードにおいては、測定結果を、ＡＶデータ表示装置６０に所定の記録紙を同一の表示形式で表示させる構成とすることによって、使用者は、ＡＶデータ表示装置６０と記録紙とを対比させながら転記することができる。したがって、本実施の形態によれば、記録呼出スイッチ等の操作によって転記対象となる測定結果を逐次血圧計の表示部に表示させていく従来の血圧計と比較して、使用者の利便を図ることができる。その結果、使用者が測定結果を記録紙に転記する際の転記ミスを低減することが可能となる。
【００５５】
さらに、以下に述べるように、ＡＶデータ表示装置６０において、表示された測定結果のうち、次回の転記の対象となる測定結果を明示させる構成とすることによって、使用者の利便性をより一層向上させることが可能となる。
【００５６】
図５は、図４の表示例において転記対象となる測定結果を明示するための表示例を示す図である。
【００５７】
図５を参照して、ＡＶデータ表示装置６０に表示された表示結果のうち、次回の転記対象となる測定結果（図中のｄｔ１に相当）には、該測定結果を反転表示するためのカーソルが位置している。したがって、使用者はこのカーソルにより指定された測定結果を、記録紙のうちのカーソル位置に対応する箇所と正確に一致させて記載することが可能となる。これによれば、転記ミスのさらなる低減を図ることができる。
【００５８】
図５に示されるような表示例は、図３の表示処理部５０４が、メモリ５０６に格納される測定結果に基づいて、次回に転記対象となる測定結果に該測定結果を反転表示するためのカーソルを移動させることによって実現されるものである。より具体的には、表示処理部５０４は、転記確認ボタン３０８がオン操作されると、メモリ５０６に格納される測定結果を、直前の転記対象となる測定結果を含んだ内容に更新する。そして、更新後のメモリ５０６の記憶内容に基づいて、次回の転記対象となる測定結果を指定するようにカーソルを移動させる。その結果、ＡＶ表示装置６０の画面上では、使用者が転記確認ボタン３０８をオン操作するごとに、これに連動するように、測定結果を反転表示するためのカーソルが次回に転記対象となる測定結果を指定するように移動していくこととなる。
【００５９】
なお、使用者によっては、１つの測定結果を転記するごとに転記確認ボタン３０８をオン操作するのではなく、複数の測定結果をまとめて転記し、その後、操作部３（図１）に設けられたカーソル移動用のキー（図示せず）などを操作することにより、カーソルを該複数の測定結果を飛ばして次回に転記対象となる測定結果にまで移動させる場合がある。このような場合には、表示処理部５０４は、メモリ５０６に格納される測定結果を、最終的なカーソル位置に基づき、該複数の測定結果を含んだ内容に更新する。
【００６０】
また、次回の転記対象となる測定結果を明示させる方法としては、図５のような反転表示に限らず、該測定結果の文字を拡大して表示すること、文字の色およびフォントを転記対象外の測定結果と異ならせること、あるいは、次回の転記対象となる測定結果のみを画面上でブリンク表示することも可能である。
【００６１】
さらに、本実施の形態では、次回の転記の対象となる測定結果として、図５に示されるように、測定時刻、血圧値および脈拍を、測定データ単位で個別に明示させる構成としたが、血圧値および脈拍とこれらに関連付けられた測定日時とを測定日単位で一体的に明示させる構成としてもよい。もしくは、血圧値および脈拍とこれらに関連付けられた測定日時とを測定時刻単位で一体的に明示させる構成としてもよい。これらの場合、画面上のカーソルは、測定日単位もしくは測定時刻単位でそれぞれ移動することになる。
【００６２】
図６は、図５の表示例をＡＶデータ表示装置６０に表示する処理を説明するためのフローチャートである。
【００６３】
図６を参照して、転記モードボタン３０６から入力される操作信号に応答して転記処理が開始されると、まず、ＣＰＵ４０により実現される表示モード設定部４０６は、表示モードを転記モードに設定するとともに（ステップＳ０１）、メモリ部４２に格納されている測定結果を読出し、その読出した測定結果を表示制御部５０により実現される表示処理部５０４に転送する。
【００６４】
表示処理部５０４は、転送された測定結果を予め設定された表示形式（すなわち、記録紙と同一の表示形式）に変換する（ステップＳ０２）。そして、表示処理部５０４は、表示形式が変換された測定結果を、さらに映像データに変換してコネクタ６およびケーブル６２を介してＡＶデータ表示装置６０に送信する(ステップＳ０３）。これにより、ＡＶデータ表示装置６０では、送信された測定結果が図５に示したような表示形式に従って表示される。
【００６５】
さらに、表示処理部５０４は、転記確認ボタン３０８から入力される操作信号に基づいて、転記確認ボタン３０８がオンされているか否かを判断する（ステップＳ０４）。転記確認ボタン３０８がオンされていると判断したときには（ステップＳ０４でＹＥＳ）、使用者により転記対象となる測定結果が転記されたものと判断し、該測定結果を表示処理部５０４内部のメモリ５０６に記録する（ステップＳ０５）。
【００６６】
これに対して、転記確認ボタン３０８がオンされていないと判断したときには（ステップＳ０４でＮＯ）、表示処理部５０４は、使用者により転記対象となる測定結果が転記されていないものと判断して一定時間待機状態となる（ステップＳ０８）。そして、一定時間が経過した後、処理はステップＳ０４に戻される。
【００６７】
ステップＳ０５において転記済みの測定結果をメモリ５０６に記録すると、表示処理部５０４は、メモリ部４２から読出した測定結果がすべて転記されたか否か、すなわち、転記が完了したか否かを判断する（ステップＳ０６）。転記が完了した場合（ステップＳ０６でＹＥＳの場合）には、一連の転記処理は終了する。
【００６８】
これに対して、転記が完了していない場合（ステップＳ０６でＮＯの場合）には、表示処理部５０４は、次回の転記対象となる測定結果に、該測定結果を反転表示させるためのカーソルを移動させる（ステップＳ０７）。さらに、表示処理部５０４は、処理をステップＳ０２に戻す。
【００６９】
なお、本実施の形態では、使用者が転記確認ボタン３０８をオン操作することにより、測定結果を反転表示するためのカーソルが次回に転記対象となる測定結果を指定するように移動する構成としたが、かかる構成の他に、予め設定された所定時間が経過するごとに自動的にカーソルが次回に転記対象となる測定結果を指定するように移動していく構成としてもよい。
【００７０】
また、使用者が転記確認ボタン３０８を手動操作するのに替えて、図示しない音声入力装置を介して使用者が転記したことを指示するための音声信号を入力したことに連動して、カーソルが次回に転記対象となる測定結果を指定するように移動する構成とすることも可能である。
【００７１】
［変更例］
図５の表示例および図６に示される表示処理では、次回の転記対象となる測定結果を反転表示することによって、該測定結果を明示させる構成としたが、図７および図８に示される表示例に従っても、図５の表示例と同様の作用効果を得ることができる。
【００７２】
図７は、図４の表示例において転記対象となる測定結果を明示するための他の表示例を示す図である。
【００７３】
図７に示される表示例では、ＡＶデータ表示装置６０に表示された表示結果のうち、既に転記された測定結果である転記済み測定結果（図中のｄｔ２に相当）が網掛け表示される。なお、この網掛け表示は、図６のステップＳ０７に示される処理において、表示処理部５０４が転記された測定結果を網掛け表示させることによって実現される。
【００７４】
したがって、使用者は、この網掛け表示された測定結果を参照して、次回に転記対象となる測定結果を容易に識別することができるため、該測定結果を記録紙の対応する箇所に正確に一致させて記載することが可能となる。
【００７５】
図８は、図４の表示例において転記対象となる測定結果を明示するための他の表示例を示す図である。
【００７６】
図８に示される表示例では、ＡＶデータ表示装置６０に表示された表示結果のうち、次回の転記対象となる測定結果（図中のｄｔ１に相当）が表示画面の上部に拡大表示される。この拡大表示は、同図のように、測定結果が関連付けられた測定日時等とともに一体的に拡大表示される以外に、測定データ単位で拡大表示される構成としてもよい。いずれの構成においても、かかる拡大表示は、図６のステップＳ０７に示される処理において、表示処理部５０４が少なくとも転記対象となる測定データを含む測定結果を拡大表示させることによって実現される。
【００７７】
なお、本実施の形態およびその変更例はいずれも、図５、図７および図８の表示例に示されるように、次回に転記対象となる測定結果をＡＶ表示装置６０の画面上で視覚的に使用者に明示する構成としたが、聴覚的に使用者に明示するように構成しても同様の作用効果を得ることができる。一例として、図１の血圧計１の本体２を、次回に転記対象となる測定結果を音声に変換して使用者に提供する読み上げ部をさらに備えるように構成してもよい。
【００７８】
以上のように、この発明の実施の形態１によれば、転記モードにおいては、測定結果を、ＡＶデータ表示装置６０に所定の記録紙を同一の表示形式で表示させる構成としたことによって、使用者が測定結果を記録紙に転記する際の転記ミスを低減することが可能となる。
【００７９】
さらに、測定結果をメモリカードに記憶させる従来の生体情報記憶装置と比較した場合には、メモリカードから測定データを読み出すための装置を医療機関側に設置する必要がなくなるため、簡易かつ低廉な装置構成で測定結果の転記ミスを低減することができる。
【００８０】
また、使用者は、家庭内でテレビ等のＡＶデータ表示装置に血圧計を接続するとともに、簡易な操作によって転記モードに移行することができるため、パソコンを用いて測定結果を表示させる従来の健康データ収集装置と比較して、パソコンが不要となる点および優れた操作性により使用者の利便性をさらに高めることができる。
【００８１】
［第２の実施の形態］
第２の実施の形態においては、先の実施の形態１で説明した血圧計１のハードウェア構成の他の具体例について説明する。
【００８２】
図９は、実施の形態２に係る血圧計１Ａのハードウェア構成の具体例を示すブロック図である。血圧計１Ａは、実施の形態１で示した血圧計１に対して、本体２内部に含まれる表示制御部５０を、本体２とは別体の表示制御装置５０Ａで構成した点で異なっている。すなわち、血圧計１Ａ、表示制御装置５０ＡおよびＡＶデータ表示装置６０は、本実施の形態による「血圧測定システム」を構成する。
【００８３】
図９を参照して、血圧計１Ａは、本体２Ａと、測定部位である上腕に巻付ける腕帯５とを備え、それらがエア管１０で接続される。本体２Ａの正面には、ボタン等の操作部３と、測定結果等を表示する表示部４とが配備される。腕帯５には測定用空気袋１３が配置され、腕帯５を測定部位である上腕に巻付けることで測定用空気袋１３が測定部位に押付けられる。
【００８４】
血圧計１Ａの本体２Ａ内には、ＣＰＵ４０と、測定用エア系２０に接続される増幅器２８、ポンプ駆動回路２６および弁駆動回路２７と、増幅器２８に接続されるＡ／Ｄ変換器２９と、測定日時を得るためのタイマ部４４と、ＣＰＵ４０で実行されるプログラムや測定結果を記憶するメモリ部４２とが含まれる。
【００８５】
さらに、血圧計１Ａは、外部の表示制御装置５０Ａを通信により接続するための外部Ｉ／Ｆ５２を備える。外部Ｉ／Ｆ５２は、通信回線５４を介して外部の表示制御装置５０Ａを接続する。通信回線５４は、有線または無線であり、ＣＰＵ４０は、使用者によって転記モードが指定された場合に、メモリ部４２に格納された測定結果を読出して外部Ｉ／Ｆ５２を介して表示制御装置５０Ａに送信する。
【００８６】
表示制御装置５０Ａは、ＣＰＵ５０８と、メモリ５１０と、通信回線５４を接続するためのＩ／Ｆ部５１２とを含む。ＣＰＵ５０８は、表示処理部５０４と同様に血圧測定データの表示処理機能を有する。
【００８７】
より詳細には、ＣＰＵ５０８は、図示しないコネクタおよびケーブル６２を介してＡＶデータ表示装置６０に接続可能に構成される。ＣＰＵ５０８は、使用者が血圧計１Ａの表示モードとして転記モードを選択する場合に、使用者によってコネクタが閉成されることによりＡＶデータ表示装置６０に接続される。
【００８８】
本体２Ａ内部のＣＰＵ４０Ａは、転記モードボタン３０６の操作による操作信号の入力を受けると、転記モードに移行する。そして、ＣＰＵ４０Ａは、メモリ部４２に記憶されている測定結果を読出し、その読出した測定結果を外部Ｉ／Ｆ５２および通信回線５４を介して表示制御装置５０Ａへ出力する。
【００８９】
表示制御装置５０Ａでは、ＣＰＵ５０８が、ＣＰＵ４０Ａから与えられた測定結果を、所定の記録紙に指定された表示形式と同一の表示形式に変換する。そしてＣＰＵ５０８は、その変換した測定結果を映像信号に変換してケーブル６２を介してＡＶデータ表示装置６０へ転送する。ＡＶデータ表示装置６０は、転送された測定結果を表示する。
【００９０】
なお、本実施の形態においても、表示制御装置５０ＡのＣＰＵ５０８は、次回の転記対象となる測定結果を使用者に明示することが可能に構成される。具体的には、ＣＰＵ５０８は、本体２Ａに設けられた転記確認ボタン３０８がオンされていると判断した場合には、使用者により転記対象となる測定結果が転記されたものと判断して該測定結果をメモリ５１０に記録する。そして、ＣＰＵ５０８は、次回の転記対象となる測定結果を明示（例えば反転表示）させる。
【００９１】
また、表示制御部５０Ａにおいて、測定結果の表示形式が、所定の記録紙に指定された表示形式と一致するように予め設定されている構成としたが、複数種類の記録紙に対応させた複数の表示形式を予め設定しておき、使用者が所望の表示形式を適宜選択可能とするように構成してもよい。
【００９２】
今回開示された実施の形態はすべての点で例示であって制限的なものではないと考えられるべきである。本発明の範囲は上記した説明ではなく、特許請求の範囲によって示され、特許請求の範囲と均等の意味および範囲内でのすべての変更が含まれることが意図される。
【図面の簡単な説明】
【００９３】
【図１】血圧計１の外観の概略図である。
【図２】血圧計１のハードウェア構成の具体例を示すブロック図である。
【図３】血圧計１が転記モードにおいて、表示処理を行なうための機能構成の具体例を示すブロック図である。
【図４】ＡＶデータ表示装置６０に表示された測定結果の表示例を示す図である。
【図５】図４の表示例において転記対象となる測定結果を明示するための表示例を示す図である。
【図６】図５の表示例をＡＶデータ表示装置６０に表示する処理を説明するためのフローチャートである。
【図７】図４の表示例において転記対象となる測定結果を明示するための他の表示例を示す図である。
【図８】図４の表示例において転記対象となる測定結果を明示するための他の表示例を示す図である。
【図９】血圧計１Ａのハードウェア構成の具体例を示すブロック図である。
【符号の説明】
【００９４】
１，１Ａ  血圧計、３  操作部、４  表示部、５  腕帯、６  コネクタ、１０  エア管、１３  測定用空気袋、２０  測定用エア系、２１  ポンプ、２２  弁、２３  圧力センサ、２６  ポンプ駆動回路、２７  弁駆動回路、２８  増幅器、２９  Ａ／Ｄ変換器、４０  ＣＰＵ、４２  メモリ部、４４  タイマ部、５０  表示制御部、５２  外部Ｉ／Ｆ、５０Ａ  表示制御装置、５４  通信回線、６０  ＡＶデータ表示装置、６２  ケーブル、３０２，３０４  ボタン、３０６  転記モードボタン、３０８  転記確認ボタン、４０２  血圧測定部、４０４  血圧記録処理部、４０６  表示モード設定部、５０４  表示処理部、５０８  ＣＰＵ、５０６，５１０  メモリ、５１２  Ｉ／Ｆ部。
【図１】
0004978482.tif 000002
【図２】
0004978482.tif 000003
【図３】
0004978482.tif 000004
【図４】
0004978482.tif 000005
【図５】
0004978482.tif 000006
【図６】
0004978482.tif 000007
【図７】
0004978482.tif 000008
【図８】
0004978482.tif 000009
【図９】
0004978482.tif 000010